(57)【要約】【課題】各種電子機器の入力操作に用いられる入力パネル及びこれを用いた入力装置に関し、誤入力がなく文字や図形等の入力が容易なものを提供することを目的とする。【解決手段】電荷ペン１２の接触により文字や図形を表示する可撓性で電荷方式の表示シート７を、上基板１の上方に配設して入力パネルを構成することによって、文字や図形等の入力を行う際、描いた文字や図形が表示シート７に表示され、何を描いているかが判るため、書き間違いや誤入力がなく、文字や図形等の容易な入力が可能なものを得ることができる。【選択図】図１
2006004354.tif 000002
【特許請求の範囲】
【請求項１】
下面に上導電層が形成された上基板と、上面に上記上導電層と所定の間隙を空けて対向する下導電層が形成された下基板と、上記上基板上方または下基板下方に配設され、所定ペンの接触によって文字や図形を表示する表示シートからなる入力パネル。
【請求項２】
表示シートと上基板の間、または下基板の下方にＥＬ素子を配設した請求項１記載の入力パネル。
【請求項３】
請求項１記載の入力パネルと、この入力パネルの上導電層及び下導電層に接続された制御回路からなり、所定ペンの押圧による上記上導電層と下導電層の接触箇所から、上記制御回路が文字や図形のパターンを検出する入力装置。
【請求項４】
制御回路が消去手段を用いて、表示シートに表示された文字や図形を消去する請求項３記載の入力装置。
【発明の詳細な説明】
【技術分野】
【０００１】
本発明は、各種電子機器の入力操作に使用される入力パネル及びこれを用いた入力装置に関するものである。
【背景技術】
【０００２】
近年、携帯電話や携帯端末等の各種電子機器の高機能化や多様化が進むに伴い、機器の前面に入力パネルを装着して入力装置を形成し、この入力パネルを指や専用ペン等で押圧操作することによって、文字や図形等の入力を行うものが増えており、誤入力がなく操作の容易なものが求められている。
【０００３】
このような従来の入力パネルについて、図７を用いて説明する。
【０００４】
なお、構成を判り易くするために、図面は厚さ方向の寸法を拡大して表している。
【０００５】
図７は従来の入力パネルの断面図であり、同図において、１はフィルム状の上基板、２は同じく下基板で、上基板１の下面には酸化インジウム錫等の上導電層３が、下基板２の上面には同じく下導電層４が各々形成されている。
【０００６】
そして、下導電層４上面には絶縁樹脂によって、複数のドットスペーサ（図示せず）が所定間隔で形成されると共に、上導電層３の両端には一対の上電極（図示せず）が、下導電層４の両端には、上電極とは直交方向の一対の下電極（図示せず）が各々形成されている。
【０００７】
また、５は額縁状のスペーサで、このスペーサ５の上下面に塗布された接着剤（図示せず）によって、上基板１と下基板２の外周が貼り合わされ、上導電層３と下導電層４が所定の間隙を空けて対向するようにして、入力パネルが構成されている。
【０００８】
そして、このように構成された入力パネルは電子機器の筐体（図示せず）前面に装着され、上電極と下電極がマイコン等から形成された制御回路（図示せず）に接続されると共に、この制御回路に接続された液晶等の表示素子（図示せず）等が入力パネル近傍に配設される。
【０００９】
以上の構成において、上基板１上面を専用ペン等で押圧操作すると、上基板１が撓んで、押圧された箇所の上導電層３が下導電層４に接触する。
【００１０】
そして、制御回路から上電極と下電極へ順次電圧が印加され、これらの電極間の電圧比によって、押圧された接触箇所を制御回路が検出し、機器の様々な機能の切換えが行われる。
【００１１】
また、この時、上基板１上面を押圧したまま専用ペンを移動させ、文字や図形等を描くと、上記と同様にして押圧された接触箇所から、制御回路が描かれた文字や図形等のパターンを認識し、例えば近傍に配設された表示素子にこれらの文字や図形等が表示される。
【００１２】
そして、制御回路に接続されたキー（図示せず）等を操作し、文字や図形等を選択・確定することによって、これらの文字や図形等の入力が行われるように構成されているものであった。
【００１３】
なお、この出願の発明に関連する先行技術文献情報としては、例えば、特許文献１が知られている。
【特許文献１】特開２００３−２８０８２１号公報
【発明の開示】
【発明が解決しようとする課題】
【００１４】
しかしながら、上記従来の入力パネルにおいては、文字や図形等の入力を行う際、描いている文字や図形等が判りづらいため、これらを表示する表示素子等を近傍に配設する必要があると共に、一旦専用ペンを上基板１上面から離し、続けて文字や図形等を描こうとした場合、押圧する箇所がずれて書き間違いが生じ易く、正確な文字や図形等の入力が困難であるという課題があった。
【００１５】
本発明は、このような従来の課題を解決するものであり、誤入力がなく文字や図形等の入力が容易な入力パネル及びこれを用いた入力装置を提供することを目的とする。
【課題を解決するための手段】
【００１６】
上記目的を達成するために本発明は、以下の構成を有するものである。
【００１７】
本発明の請求項１に記載の発明は、所定ペンの接触によって文字や図形を表示する表示シートを、上基板上方または下基板下方に配設して入力パネルを構成したものであり、文字や図形等の入力を行う際、描いた文字や図形が表示シートに表示され、何を描いているかが判るため、書き間違いや誤入力がなく、文字や図形等の容易な入力が可能な入力パネルを得ることができるという作用を有する。
【００１８】
請求項２に記載の発明は、請求項１記載の発明において、表示シートと上基板の間、または下基板の下方にＥＬ素子を配設したものであり、ＥＬ素子によって表示シートを下方から照光できるため、周囲が暗い状態でも表示シートへの入力を容易に行うことができるという作用を有する。
【００１９】
請求項３に記載の発明は、請求項１記載の入力パネルの上導電層及び下導電層に制御回路を接続し、所定ペンの押圧による上導電層と下導電層の接触箇所から、制御回路が文字や図形のパターンを検出するようにして入力装置を構成したものであり、誤入力がなく文字や図形等の入力が容易な入力装置を実現することができるという作用を有する。
【００２０】
請求項４に記載の発明は、請求項３記載の発明において、制御回路が消去手段を用いて、表示シートに表示された文字や図形を消去するものであり、文字や図形等の入力が行われた後、表示された文字や図形を消去することによって、次の文字や図形を続けて入力できるため、入力装置をさらに使い易いものとすることができるという作用を有する。
【発明の効果】
【００２１】
以上のように本発明によれば、誤入力がなく文字や図形等の入力が容易な入力パネル及びこれを用いた入力装置を実現することができるという有利な効果が得られる。
【発明を実施するための最良の形態】
【００２２】
以下、本発明の実施の形態について、図１〜図６を用いて説明する。
【００２３】
なお、構成を判り易くするために、図面は厚さ方向の寸法を拡大して表している。
【００２４】
また、背景技術の項で説明した構成と同一構成の部分には同一符号を付与して、詳細な説明を簡略化する。
【００２５】
（実施の形態１）
実施の形態１を用いて、本発明の特に請求項１記載の発明について説明する。
【００２６】
図１は本発明の第１の実施の形態による入力パネルの断面図であり、同図において、１はポリエチレンテレフタレートやポリカーボネート等のフィルム状の上基板、２はガラスまたはアクリル、ポリカーボネート等の下基板で、上基板１の下面には酸化インジウム錫や酸化錫、カーボンやポリチオフェン等の上導電層３が、下基板２の上面には同じく下導電層４が、スパッタ法等によって各々形成されている。
【００２７】
また、下導電層４上面にはエポキシやシリコン等の絶縁樹脂によって、複数のドットスペーサ（図示せず）が所定間隔で形成されると共に、上導電層３の両端には銀やカーボン等の一対の上電極（図示せず）が、下導電層４の両端には、上電極とは直交方向の一対の下電極（図示せず）が各々形成されている。
【００２８】
そして、５は額縁状のスペーサで、このスペーサ５の上下面に塗布された接着剤（図示せず）によって、上基板１と下基板２の外周が貼り合わされ、上導電層３と下導電層４が所定の間隙を空けて対向している。
【００２９】
さらに、７は所定ペンの接触によって文字や図形を表示する可撓性の表示シートで、この電荷方式の表示シート７が上基板１上面に配設されて、電荷方式の入力パネルが構成されている。
【００３０】
なお、この電荷方式の表示シート７は、図２（ａ）の部分断面図に示すように、外周が封止された、ポリエチレンテレフタレートやポリカーボネート等のフィルム状の上シート８と、同じくフィルム状で上面に酸化インジウム錫や酸化錫、カーボンやポリチオフェン等の導電層９Ａが設けられた下シート９から形成されている。
【００３１】
そして、この上シート８と下シート９の間には、ゼラチンやアクリル、ナイロン、ポリビニルアルコール、ウレタン、メラミン、エチルセルロース、アルミナ等の透明あるいは半透明な外皮１０Ａ中に、マイナスに帯電したカーボン等の黒色微粒子１０Ｂと、無帯電で酸化チタン等の白色微粒子１０Ｃ、微量の界面活性剤等の分散安定剤が分散された、マイクロカプセル１０が挟み込まれている。
【００３２】
また、上シート８と下シート９の間には水や鉱物油、植物油、シリコンオイル、フッ素系オイル等の液体が充填されて、電荷方式の表示シート７が形成されている。
【００３３】
さらに、この表示シート７は、図２（ａ）に示すように、下シート９の導電層９Ａにプラスの電位を印加した状態では、マイナスに帯電したカーボン等の黒色微粒子１０Ｂがマイクロカプセル１０の下面に電気泳動で偏析し、マイクロカプセル１０上面には無帯電で酸化チタン等の白色微粒子１０Ｃが分散しているため、上方の上シート８側から見ると、全体が白い均一な状態となっており、この状態は導電層９Ａに印加した電圧を解除しても見かけ上の変化は起こらない。
【００３４】
そして、図２（ｂ）に示すように、この電荷方式の表示シート７上面に、電池や電子回路等が内蔵され、先端がプラスに帯電した電荷ペン１２を接触させ、電荷ペン１２を移動させて文字や図形等を描くと、電荷ペン１２が移動した箇所のマイクロカプセル１０は、マイナスに帯電した黒色微粒子１０Ｂが電気泳動で上面に偏析する。
【００３５】
つまり、上方の上シート８側から見ると、全体が白い状態の中で、電荷ペン１２を移動させた箇所だけが黒く見え、白地に黒色の文字や図形等が描かれた状態となり、文字や図形等の表示を明瞭に視認することができる。
【００３６】
なお、こうして黒色の文字や図形等を描いた後、再び下シート９の導電層９Ａにプラスの電位を印加すると、図２（ａ）に示すように、カーボン等の黒色微粒子１０Ｂがマイクロカプセル１０の下面に電気泳動で偏析し、マイクロカプセル１０上面に酸化チタン等の白色微粒子１０Ｃが分散した、全体が白い均一な状態となる。
【００３７】
そして、このように構成された入力パネルは電子機器の筐体（図示せず）前面に装着され、上電極と下電極がマイコン等から形成された制御回路（図示せず）に接続されると共に、この制御回路に接続された液晶等の表示素子（図示せず）等が入力パネル近傍に配設される。
【００３８】
以上の構成において、先端がプラスに帯電した電荷ペン１２で表示シート７上面を押圧操作すると、表示シート７を介して上基板１が撓み、押圧された箇所の上導電層３が下導電層４に接触する。
【００３９】
そして、制御回路から上電極と下電極へ順次電圧が印加され、これらの電極間の電圧比によって、押圧された接触箇所を制御回路が検出し、機器の様々な機能の切換えが行われる。
【００４０】
また、この時、表示シート７上面を押圧したまま電荷ペン１２を移動させ、文字や図形等を描くと、上記と同様にして押圧された接触箇所から、制御回路が描かれた文字や図形等のパターンを認識し、例えば近傍に配設された表示素子にこれらの文字や図形等が表示される。
【００４１】
そして、この時、上述したように、マイナスに帯電したカーボン等の黒色微粒子１０Ｂがマイクロカプセル１０内を上面に電気泳動することによって、全体が白い状態の中で、電荷ペン１２が移動した箇所だけが黒く見え、白地に黒色の文字や図形等が描かれた状態となり、文字や図形等を明瞭に視認しながら入力することができる。
【００４２】
このように本実施の形態によれば、電荷ペン１２の接触により文字や図形を表示する可撓性で電荷方式の表示シート７を、上基板１の上方に配設することによって、文字や図形等の入力を行う際、描いた文字や図形が表示シート７に表示され、何を描いているかが判るため、書き間違いや誤入力がなく、文字や図形等の容易な入力が可能な電荷方式の入力パネルを得ることができるものである。
【００４３】
なお、以上の説明では、表示シート７を上基板１の上方に配設した構成について説明したが、上基板１や下基板２を光透過性のものにすると共に、上導電層３や下導電層４を酸化インジウム錫や酸化錫等の光透過性のものとし、下方が透けて見えるものとすれば、表示シート７を下基板２の下方に配設した構成としても、本発明の実施は可能である。
【００４４】
また、上シート８と下シート９の間に、マイナスに帯電したカーボン等の黒色微粒子１０Ｂと、無帯電で酸化チタン等の白色微粒子１０Ｃを分散したマイクロカプセル１０を封入して、電荷方式の表示シート７を形成した構成として説明したが、一方がプラスまたはマイナスに帯電された、コントラスト色の異なる２種類以上の混合粉体または着色液体を分散したマイクロカプセルであれば、本発明の実施は可能である。
【００４５】
さらに、こうした上下シート間にマイクロカプセル１０を封入した表示シート７の他、下シート９の導電層９Ａ上面にプルシアンブルー（Ｆｅｌｌｌ4［Ｆｅｌｌ（ＣＮ）6］3・１５Ｈ2Ｏ）等の、プラス電位の印加によって色が無色から青色に変化する、エレクトロクロミック材料を積層した電荷方式の表示シートを用いてもよい。
【００４６】
なお、プラス電位の印加によって色が無色から青色に変化するエレクトロクロミック材料としては、他にＩｒ（ＯＨ）ｎが、褐色に変化するものとしてはＮｉ（ＯＨ）ｎが、また、マイナス電位の印加によって色が無色から青色に変化するものとしては、ＷＯ3やＭｏＯ3、Ｎｂ2Ｏ5等が使用できる。
【００４７】
（実施の形態２）
実施の形態２を用いて、本発明の特に請求項１記載の発明について説明する。
【００４８】
なお、実施の形態１の構成と同一構成の部分には同一符号を付して、詳細な説明を省略する。
【００４９】
図３は本発明の第２の実施の形態による入力パネルの断面図であり、同図において、額縁状のスペーサ５によって上基板１と下基板２の外周が貼り合わされ、上基板１下面の上導電層３と、下基板２上面の下導電層４が所定の間隙を空けて対向していることは実施の形態１の場合と同様である。
【００５０】
また、上基板１上面に、所定ペンの接触によって文字や図形を表示する、可撓性の表示シート１４が配設されていることも実施の形態１の場合と同様であるが、この表示シート１４は実施の形態１で説明した電荷方式のものではなく、磁気方式のものとなっている。
【００５１】
さらに、下基板２下面には電磁石１７が配設されて、磁気方式の入力パネルが構成されている。
【００５２】
そして、この磁気方式の表示シート１４は、図４（ａ）の部分断面図に示すように、ポリエチレンテレフタレートやポリカーボネート等のフィルム状の上シート８と、これに外周が封止された、同じくフィルム状の下シート９から形成されている。
【００５３】
また、この上シート８と下シート９の間には、ゼラチンやアクリル、ナイロン、ポリビニルアルコール、ウレタン、メラミン、エチルセルロース、アルミナ等の透明あるいは半透明な外皮１５Ａ中に、酸化鉄等の磁性の黒色微粉末１５Ｂと、非磁性で酸化チタン等の白色微粉末１５Ｃ、微量の界面活性剤等の分散安定剤が分散された、マイクロカプセル１５が挟み込まれている。
【００５４】
さらに、上シート８と下シート９の間には水や鉱物油、植物油、シリコンオイル、フッ素系オイル等の液体が充填されて、磁気方式の表示シート１４が形成されている。
【００５５】
なお、この表示シート１４は、図４（ａ）に示すように、下基板２下面の電磁石１７に電気が印加された状態では、酸化鉄等の磁性の黒色微粉末１５Ｂがマイクロカプセル１５の下面に磁気泳動で偏析し、マイクロカプセル１５上面には非磁性で酸化チタン等の白色微粉末１５Ｃが分散しているため、上方の上シート８側から見ると、全体が白い均一な状態となっており、この状態は電磁石１７に印加した電圧を解除しても見かけ上の変化は起こらない。
【００５６】
そして、図４（ｂ）に示すように、この磁気方式の表示シート１４上面に、先端が磁化された磁気ペン１６を接触させ、磁気ペン１６を移動させて文字や図形等を描くと、磁気ペン１６が移動した箇所のマイクロカプセル１５は、磁性の黒色微粉末１５Ｂが磁気泳動で上面に偏析する。
【００５７】
つまり、上方の上シート８側から見ると、全体が白い状態の中で、磁気ペン１６を移動させた箇所だけが黒く見え、白地に黒色の文字や図形等が描かれた状態となり、文字や図形等の表示を明瞭に視認することができる。
【００５８】
なお、こうして黒色の文字や図形等を描いた後、再び電磁石１７に電気を印加すると、上記のように、酸化鉄等の磁性の黒色微粉末１５Ｂがマイクロカプセル１５の下面に磁気泳動で偏析し、マイクロカプセル１５上面に非磁性で酸化チタン等の白色微粉末１５Ｃが分散した、全体が白い均一な状態となる。
【００５９】
そして、このように構成された入力パネルは電子機器の筐体（図示せず）に装着されると共に、上電極と下電極がマイコン等から形成された制御回路（図示せず）に接続され、この状態で、先端が磁化された磁気ペン１６で表示シート１４上面を押圧操作すると、表示シート１４を介して上基板１が撓み、押圧された箇所の上導電層３が下導電層４に接触し、これらの電極間の電圧比によって、押圧された接触箇所を制御回路が検出し、機器の様々な機能の切換えが行われる。
【００６０】
また、この時、表示シート１４上面を押圧したまま磁気ペン１６を移動させ、文字や図形等を描くと、上述したように、磁性の黒色微粉末１５Ｂがマイクロカプセル１５内を上面に磁気泳動することによって、全体が白い状態の中で、磁気ペン１６が移動した箇所だけが黒く見え、白地に黒色の文字や図形等が描かれた状態となり、文字や図形等を明瞭に視認しながら入力することができる。
【００６１】
このように本実施の形態によれば、磁気ペン１６の接触により文字や図形を表示する可撓性で磁気方式の表示シート１４を、上基板１の上方に配設することによって、文字や図形等の入力を行う際、描いた文字や図形が表示シート１４に表示され、何を描いているかが判るため、書き間違いや誤入力がなく、文字や図形等の容易な入力が可能な磁気方式の入力パネルを得ることができるものである。
【００６２】
なお、以上の説明では、下基板２下面に電磁石１７を配設し、これに電気を印加することで、表示シート１４に表示された文字や図形等を消去する構成について説明したが、下基板２下面に永久磁石を配設し、この永久磁石または表示シート１４を相対的に移動させることで、表示された文字や図形等を消去する構成としても、本発明の実施は可能である。
【００６３】
また、上シート８と下シート９の間に、酸化鉄等の磁性の黒色微粉末１５Ｂと非磁性で酸化チタン等の白色微粉末１５Ｃを分散したマイクロカプセル１５を封入して、磁気方式の表示シート１４を形成した構成として説明したが、鉄等の微燐片を分散したマイクロカプセルを用い、電磁石１７や永久磁石等によって、この鉄等の微燐片の配向を変化させる表示シートとしてもよい。
【００６４】
この場合には、マイクロカプセル内の鉄等の微燐片が、電磁石１７や永久磁石等により表示シートの水平方向に配向されている場合には、マイクロカプセル内の微燐片が光を反射して明るい状態となり、磁気ペン１６等によって微燐片が垂直方向に配向された場合には、光を透過して暗い状態となることで、全体が明るい中に暗い文字や図形等を描くことが可能となる。
【００６５】
そして、このように鉄等の微燐片を用いて磁気方式の表示シートを形成した場合には、微燐片を厚さ１μｍ前後、幅３〜５μｍ×１０〜２０μｍの大きさとすることで、マイクロカプセルの直径を８０〜１００μｍとし、全体の薄型化を図ることもできる。
【００６６】
（実施の形態３）
実施の形態３を用いて、本発明の特に請求項２記載の発明について説明する。
【００６７】
なお、実施の形態１や２の構成と同一構成の部分には同一符号を付して、詳細な説明を省略する。
【００６８】
図５は本発明の第３の実施の形態による入力パネルの断面図であり、同図において、額縁状のスペーサ５によって上基板１と下基板２の外周が貼り合わされ、上基板１下面の上導電層３と、下基板２上面の下導電層４が所定の間隙を空けて対向していることは実施の形態１や２の場合と同様である。
【００６９】
また、上基板１上面に、所定ペンの接触によって文字や図形を表示する、電荷方式の表示シート７や、磁気方式の表示シート１４が配設されていることも実施の形態１や２の場合と同様であるが、表示シート７や１４と上基板１の間には、ＥＬ素子１８が配設されて、入力パネルが構成されている。
【００７０】
そして、このＥＬ素子１８は、ポリエチレンテレフタレートやポリカーボネート等のフィルムの下面に、透明電極層や発光体層、誘電体層、背面電極層等が重ねて印刷形成された、分散型で可撓性のものとなっている。
【００７１】
以上の構成において、この入力パネルを電子機器の筐体（図示せず）に装着し、上電極と下電極をマイコン等から形成された制御回路（図示せず）に接続した状態で、電荷ペン１２や磁気ペン１６等で表示シート７や１４上面を押圧操作すると、実施の形態１や２で説明した場合と同様に、押圧された接触箇所を制御回路が検出し、機器の様々な機能の切換えが行われる。
【００７２】
また、この時、電荷ペン１２や磁気ペン１６等を表示シート７や１４上面に接触させたまま移動させ、文字や図形等を描くと、表示シート７や１４にこれらの文字や図形等が表示されることも、実施の形態１や２の場合と同様であるが、本実施の形態においては、この時、ＥＬ素子１８が発光し、表示シート７や１４を下面から照光する。
【００７３】
つまり、周囲が暗い場合等には、所定の操作によってＥＬ素子１８が発光し、表示シート７や１４を下面から照光して、描かれた文字や図形等を明瞭に視認することができるように構成されている。
【００７４】
このように本実施の形態によれば、表示シート７や１４と上基板１の間にＥＬ素子１８を配設することによって、ＥＬ素子１８によって表示シート７や１４を下方から照光できるため、周囲が暗い状態でも表示シートへの入力を容易に行うことができるものである。
【００７５】
なお、本実施の形態においては、表示シート７や１４を光透過性または半透過性とする必要があるが、これは、マイクロカプセル１０や１５内に分散するカーボン等の黒色微粒子１０Ｂや酸化チタン等の白色微粒子１０Ｃ、酸化鉄等の黒色微粉末１５Ｂ等の直径を、波長４００〜７００ｎｍの可視光以下の、数十ｎｍ未満のものとしたり、或いは、これらの粒子や粉末の添加量を調整することによって可能である。
【００７６】
また、以上の説明では、表示シート７や１４と上基板１の間にＥＬ素子１８を配設した構成について説明したが、実施の形態１で説明したように、上基板１や下基板２、上導電層３や下導電層４を光透過性のものとし、下方が透けて見えるものとすれば、ＥＬ素子１８を下基板２の下方に配設した構成としても、本発明の実施は可能である。
【００７７】
そして、このように下基板２の下方から表示シート７や１４を照光する場合には、液晶のバックライトとして常用される発光ダイオードや冷陰極管等を用いても実施は可能であるが、これらに比べ、本実施の形態のように薄膜状のＥＬ素子１８を用いることによって、全体の薄型化を図ることが可能となる。
【００７８】
（実施の形態４）
実施の形態４を用いて、本発明の特に請求項３及び４記載の発明について説明する。
【００７９】
なお、実施の形態１や２、３の構成と同一構成の部分には同一符号を付して、詳細な説明を省略する。
【００８０】
図６（ａ）は本発明の第４の実施の形態による入力装置としての携帯電話の平面図であり、同図において、２０は絶縁樹脂製の筐体で、この筐体２０の前面上方には液晶等の表示素子２１が、下方には押圧操作可能な複数の操作キー２２が配設されている。
【００８１】
また、筐体２０の前面中間部には、実施の形態１や２、３で説明した入力パネル２３が装着されると共に、筐体２０内には、マイコン等の各種電子部品が実装され制御回路２４が形成された配線基板（図示せず）が収納されている。
【００８２】
そして、この制御回路２４に入力パネル２３の上導電層３や下導電層４、導電層９Ａ、電磁石１７、或いは表示素子２１や操作キー２２が接続されて、入力装置が構成されている。
【００８３】
以上の構成において、例えば電話をかけようとする場合には、数字が表示された操作キー２２を押圧操作して、表示素子２１に電話番号を表示した後、送信用の操作キー２２を押圧操作すると、電波が送信されて通話が行われる。
【００８４】
また、文章メールや住所録等を作成する場合には、所定の操作キー２２を押圧操作した後、文字が表示された複数の操作キー２２を押圧操作し、都度選択や確定を行って表示素子２１に文章や氏名等を表示させ、送信や登録を行う。
【００８５】
なお、本発明の入力装置においては、こうした操作が煩雑な操作キー２２による文字や図形の入力に加え、入力パネル２３による簡易な入力も可能なように構成されており、以下、その操作方法について説明する。
【００８６】
例えば、文字「Ｒ」を入力する場合には、先ず、電荷ペン１２や磁気ペン１６等で入力パネル２３の表示シート７や１４上面を押圧し、文字「Ｒ」を描くと、実施の形態１や２で説明したように、制御回路２４が上導電層３と下導電層４の接触からこの押圧箇所を検出し、描かれた筆跡「Ｒ」のパターンを認識すると共に、図６（ａ）に示すように、入力パネル２３には描いた筆跡のままの「Ｒ」が表示される。
【００８７】
そして、所定時間が経過、或いは所定の操作キー２２を押圧操作すると、図６（ｂ）に示すように、制御回路２４が筆跡「Ｒ」のパターン認識から文字認識を行い、記憶している文字「Ｒ」、或いは筆跡「Ｒ」に類似した文字を表示素子２１に表示する。
【００８８】
同時に、制御回路２４が消去手段としての導電層９Ａや電磁石１７に電気を印加することによって、入力パネル２３に表示された筆跡「Ｒ」は消去され、この後、所定の操作キー２２の操作によって、文字「Ｒ」が選択・確定され入力される。
【００８９】
以上のように、所定のペンによる入力パネル２３への文字や図形等の描画を、何を描いているかを確認しながら繰返すことで、簡易に文章や氏名等の作成が行えると共に、都度、入力パネル２３に表示された文字や図形が消去されるため、次の文字や図形を続けて入力し易いように構成されている。
【００９０】
なお、文字や図形を描き間違った場合や、文字認識された文字等が異なる場合には、入力パネル２３の右側に設けたクリア領域２３Ａを押圧操作すれば、これを制御回路２４が検出し、クリアできるようになっている。
【００９１】
このように本実施の形態によれば、所定ペンの押圧による入力パネル２３の上導電層３と下導電層４の接触箇所から、制御回路２４が文字や図形のパターンを検出し認識することによって、誤入力がなく文字や図形等の入力が容易な入力装置を実現することができるものである。
【００９２】
また、制御回路２４が導電層９Ａや電磁石１７等の消去手段を用いて、表示シート７や１４に文字や図形等の入力が行われた後、表示された文字や図形を消去することによって、次の文字や図形を続けて入力できるため、入力装置をさらに使い易いものとすることができる。
【産業上の利用可能性】
【００９３】
本発明による入力パネル及びこれを用いた入力装置は、誤入力がなく文字や図形等の入力が容易なものが得られ、各種電子機器等の操作用として有用である。
【図面の簡単な説明】
【００９４】
【図１】本発明の第１の実施の形態による入力パネルの断面図
【図２】同部分断面図
【図３】本発明の第２の実施の形態による入力パネルの断面図
【図４】同部分断面図
【図５】本発明の第３の実施の形態による入力パネルの断面図
【図６】本発明の第４の実施の形態による入力装置の平面図
【図７】従来の入力パネルの断面図
【符号の説明】
【００９５】
１  上基板
２  下基板
３  上導電層
４  下導電層
５  スペーサ
７  表示シート
８  上シート
９  下シート
９Ａ  導電層
１０  マイクロカプセル
１０Ａ  外皮
１０Ｂ  黒色微粒子
１０Ｃ  白色微粒子
１２  電荷ペン
１４  表示シート
１５  マイクロカプセル
１５Ａ  外皮
１５Ｂ  黒色微粉末
１５Ｃ  白色微粉末
１６  磁気ペン
１７  電磁石
１８  ＥＬ素子
２０  筐体
２１  表示素子
２２  操作キー
２３  入力パネル
２３Ａ  クリア領域
２４  制御回路
【図１】
2006004354.tif 000003
【図２】
2006004354.tif 000004
【図３】
2006004354.tif 000005
【図４】
2006004354.tif 000006
【図５】
2006004354.tif 000007
【図６】
2006004354.tif 000008
【図７】
2006004354.tif 000009